(57)【要約】  【課題】低速運転での負荷増加時にエンジン出力が不足する不具合を防止することができるエンジンの調速装置を提供する。  【解決手段】調速レバー１にガバナスプリング２を介してガバナレバー３が連動連結され、ガバナレバー３にガバナ力発生装置４が連携され、ガバナスプリング２のガバナスプリング力２ａとガバナ力発生装置４のガバナ力４ａとの不釣合い力でガバナレバー３が揺動され、ガバナレバー３に連動連結された燃料調量部５が調量されるように構成されている、エンジンの調速装置において、調速レバー１のエンジン停止操作時には、エンジン停止位置６側に揺動操作された調速レバー１で圧縮されたガバナスプリング２が押されることにより、ガバナスプリング２でガバナレバー３が燃料減量方向Ｌに押され、燃料調量部５が燃料無供給位置７まで移動するように構成されている。【選択図】    図１
2014206155.tif 000002
【特許請求の範囲】
【請求項１】
調速レバー(１)にガバナスプリング(２)を介してガバナレバー(３)が連動連結され、ガバナレバー(３)にガバナ力発生装置(４)が連携され、ガバナスプリング(２)のガバナスプリング力(２ａ)とガバナ力発生装置(４)のガバナ力(４ａ)との不釣合い力でガバナレバー(３)が揺動され、ガバナレバー(３)に連動連結された燃料調量部(５)が調量されるように構成されている、エンジンの調速装置において、
調速レバー(１)のエンジン停止操作時には、エンジン停止位置(６)側に揺動操作された調速レバー(１)で圧縮されたガバナスプリング(２)が押されることにより、ガバナスプリング(２)でガバナレバー(３)が燃料減量方向(Ｌ)に押され、燃料調量部(５)が燃料無供給位置(７)まで移動するように構成されている、ことを特徴とするエンジンの調速装置。
【請求項２】
請求項１に記載されたエンジンの調速装置において、
ガバナレバー(３)が、ガバナ力発生装置(４)に連携された第１レバー(３ａ)と、ガバナスプリング(２)に連結された第２レバー(３ｂ)とで構成され、第１レバー(３ａ)が燃料調量部(５)に連結され、第１レバー(３ａ)と第２レバー(３ｂ)とにそれぞれ係合部(３ｃ)(３ｄ)が設けられ、
調速レバー(１)のエンジン停止操作時には、係合部(３ｃ)(３ｄ)同士が係合し、ガバナスプリング(２)で燃料減量方向(Ｌ)に押された第２レバー(３ｂ)から両係合部(３ｃ)(３ｄ)を介して第１レバー(３ａ)が燃料減量方向(Ｌ)に押されるように構成され、
両係合部(３ｃ)(３ｄ)のいずれかに離間調節部(３ｅ)が設けられ、離間調節部(３ｅ)の調節で、係合部同士(３ｃ)(３ｄ)が係合した第１レバー(３ａ)と第２レバー(３ｂ)の離間距離が調節されるように構成されている、ことを特徴とするエンジンの調速装置。
【請求項３】
請求項２に記載されたエンジンの調速装置において、
第１レバー(３ａ)と第２レバー(３ｂ)との間にトルクライズ装置(８)が設けられ、
過負荷運転時には、ガバナ力(４ａ)の低下で、燃料制限具(９)に第２レバー(３ｂ)が受け止められ、トルクライズ装置(８)のバネ力(８ａ)とガバナ力(４ａ)との不釣合い力で第１レバー(３ａ)が揺動され、燃料調量部(５)が過負荷増量領域(１０)で調量移動して、エンジントルクが増加するように構成されている、ことを特徴とするエンジンの調速装置。
【請求項４】
請求項１から請求項３のいずれかに記載されたエンジンの調速装置において、
ガバナスプリング(２)の一端側の係止フック(２ｂ)が調速レバー(１)のフック係止孔(１ａ)に係合され、
調速レバー(１)のエンジン停止操作時には、フック係止孔(１ａ)の内周面(１ｂ)で係止フック(２ｂ)が押圧されて、ガバナスプリング(２)が押されるように構成されている、ことを特徴とするエンジンの調速装置。
【請求項５】
請求項４に記載されたエンジンの調速装置において、
ガバナスプリング(２)が第１スプリング(４１)と第２スプリング(４２)とで構成され、
調速レバー(１)にブッシュ(４３)が取り付けられ、このブッシュ(４３)に調速レバー(１)のフック係止孔(１ａ)が設けられ、このフック係止孔(１ａ)に第１スプリング(４１)の係止フック(２ｂ)が係合され、第２スプリング(４２)の一端側に係止部(４２ａ)を備えた折り返し部(４２ｂ)が形成され、この折り返し部(４２ｂ)がブッシュ(４３)にスライド自在に嵌合され、
調速レバー(１)の高速設定操作時には、第１スプリング(４１)の係止フック(２ｂ)と第２スプリング(４２)の折り返し部(４２ｂ)の係止部(４２ａ)とがブッシュ(４３)を介して調速レバー(１)に係止され、第１スプリング(４１)と第２スプリング(４２)のガバナスプリング力(２ａ)がガバナレバー(３)にかかり、
調速レバー(１)の低速設定操作時には、第１スプリング(４１)の係止フック(２ｂ)のみがブッシュ(４３)を介して調速レバー(１)に係止され、第１スプリング(４１)のみのガバナスプリング力(２ａ)がガバナレバー(３)にかかり、
調速レバー(１)のエンジン停止操作時には、フック係止孔(１ａ)の内周面(１ｂ)で第１スプリング(４１)の係止フック(２ｂ)が押圧されて、第１スプリング(４１)のみでガバナレバー(３)が燃料減量方向(Ｌ)に押されるように構成されている、ことを特徴とするエンジンの調速装置。
【請求項６】
請求項４に記載されたエンジンの調速装置において、
ガバナスプリング(２)が第１スプリング(４１)と第２スプリング(４２)とで構成され、
調速レバー(１)にフック係止孔(１ａ)が穿孔され、このフック係止孔(１ａ)に第１スプリング(４１)の係止フック(２ｂ)が係合され、第２スプリング(４２)の一端側に係止部(４２ａ)を備えた折り返し部(４２ｂ)が形成され、この折り返し部(４２ｂ)が調速レバー(１)の表裏面に沿う折り返し状に形成されるとともに、調速レバー(１)にスライド自在に嵌合され、
調速レバー(１)の高速設定操作時には、第１スプリング(４１)の係止フック(２ｂ)と第２スプリング(４２)の折り返し部(４２ｂ)の係止部(４２ａ)とが調速レバー(１)に係止され、第１スプリング(４１)と第２スプリング(４２)のガバナスプリング力(２ａ)がガバナレバー(３)にかかり、
調速レバー(１)の低速設定操作時には、第１スプリング(４１)の係止フック(２ｂ)のみが調速レバー(１)に係止され、第１スプリング(４１)のみのガバナスプリング力(２ａ)がガバナレバー(３)にかかり、
調速レバー(１)のエンジン停止操作時には、フック係止孔(１ａ)の内周面(１ｂ)で第１スプリング(４１)の係止フック(２ｂ)が押圧されて、第１スプリング(４１)のみでガバナレバー(３)が燃料減量方向(Ｌ)に押されるように構成されている、ことを特徴とするエンジンの調速装置。
【請求項７】
請求項１から請求項３のいずれかに記載されたエンジンの調速装置において、
ガバナスプリング(２)の一端側の係止環(２ｄ)が調速レバー(１)の係止ピン(４４)に嵌合され、
調速レバー(１)のエンジン停止操作時には、係止ピン(４４)の周面(４４ａ)で係止環(２ｄ)が押圧されて、ガバナスプリング(２)が押されるように構成されている、ことを特徴とするエンジンの調速装置。
【請求項８】
請求項７に記載されたエンジンの調速装置において、
ガバナスプリング(２)が第１スプリング(４１)と第２スプリング(４２)とで構成され、
調速レバー(１)に係止ピン(４４)が取り付けられ、係止ピン(４４)に第１スプリング(４１)の係止環(２ｄ)が嵌合され、第２スプリング(４２)の一端側に係止部(４２ａ)を備えた折り返し部(４２ｂ)が形成され、この折り返し部(４２ｂ)が係止ピン(４４)にスライド自在に嵌合され、
調速レバー(１)の高速設定操作時には、第１スプリング(４１)の係止環(２ｄ)と第２スプリング(４２)の折り返し部(４２ｂ)の係止部(４２ａ)とが係止ピン(４４)を介して調速レバー(１)に係止され、第１スプリング(４１)と第２スプリング(４２)のガバナスプリング力(２ａ)がガバナレバー(３)にかかり、
調速レバー(１)の低速設定操作時には、第１スプリング(４１)の係止環(２ｄ)のみが係止ピン(４４)を介して調速レバー(１)に係止され、第１スプリング(４１)のみのガバナスプリング力(２ａ)がガバナレバー(３)にかかり、
調速レバー(１)のエンジン停止操作時には、係止ピン(４４)の周面(４４ａ)で第１スプリング(４１)の係止環(２ｄ)が押圧されて、第１スプリング(４１)のみでガバナレバー(３)が燃料減量方向(Ｌ)に押されるように構成されている、ことを特徴とするエンジンの調速装置。
【発明の詳細な説明】
【技術分野】
【０００１】
本発明は、エンジンの調速装置に関し、詳しくは、低速運転での負荷増加時にエンジン出力が不足する不具合を防止することができるエンジンの調速装置に関する。
【背景技術】
【０００２】
従来、エンジンの調速装置として次のようなものがある(例えば、特許文献１参照)。
図１２に示すように、調速レバー(１０１)にガバナスプリング(１０２)を介してガバナレバー(１０３)が連動連結され、ガバナレバー(１０３)にガバナ力発生装置(１０４)が連携され、ガバナスプリング(１０２)のガバナスプリング力(１０２ａ)とガバナ力発生装置(１０４)のガバナ力(１０４ａ)との不釣合い力でガバナレバー(１０３)が揺動され、ガバナレバー(１０３)に連動連結された燃料調量部(１０５)が調量されるように構成されている、エンジンの調速装置。
【０００３】
この種の調速装置によれば、ガバナスプリング力(１０２ａ)とガバナ力(１０４ａ)との不釣合い力により簡易にエンジンの調速を行うことかできる利点がある。
【０００４】
しかし、この従来技術では、図１２から明らかなように、調速レバー(１０１)のエンジン停止操作時には、エンジン停止位置(１０６)側に揺動操作された調速レバー(１０１)でガバナレバー(１０３)の係合ピン(Ｐ)が押されることにより、調速レバー(１０１)でガバナレバー(１０３)が燃料減量方向(Ｌ)に押され、燃料調量部(１０５)が燃料無供給位置(１０７)まで移動するように構成されているため、問題がある。
【先行技術文献】
【特許文献】
【０００５】
【特許文献１】特開２００３−２６９１９５号公報(図１参照)
【発明の概要】
【発明が解決しようとする課題】
【０００６】
《問題点》  低速運転での負荷増加時にエンジン出力が不足することがある。
図１２から明らかなように、調速レバー(１０１)のエンジン停止操作時には、エンジン停止位置(１０６)側に揺動操作された調速レバー(１０１)でガバナレバー(１０３)の係合ピン(Ｐ)が押されることにより、調速レバー(１０１)でガバナレバー(１０３)が燃料減量方向(Ｌ)に押され、燃料調量部(１０５)が燃料無供給位置(１０７)まで移動するように構成されているため、低速運転での負荷増加時に、燃料増量方向(Ｒ)に移動する係合ピン(Ｐ)が調速レバー(１０１)に当たり、ガバナレバー(１０３)の燃料増量方向(Ｒ)の揺動が妨げられ、燃料が増量されず、エンジン出力が不足することがある。
【０００７】
本発明の課題は、低速運転での負荷増加時にエンジン出力が不足する不具合を防止することができるエンジンの調速装置を提供することにある。
【課題を解決するための手段】
【０００８】
請求項１に係る発明の発明特定事項は、次の通りである。
図１，図９に例示するように、調速レバー(１)にガバナスプリング(２)を介してガバナレバー(３)が連動連結され、ガバナレバー(３)にガバナ力発生装置(４)が連携され、ガバナスプリング(２)のガバナスプリング力(２ａ)とガバナ力発生装置(４)のガバナ力(４ａ)との不釣合い力でガバナレバー(３)が揺動され、ガバナレバー(３)に連動連結された燃料調量部(５)が調量されるように構成されている、エンジンの調速装置において、
図１，図９から明らかなように、調速レバー(１)のエンジン停止操作時には、エンジン停止位置(６)側に揺動操作された調速レバー(１)で圧縮されたガバナスプリング(２)が押されることにより、ガバナスプリング(２)でガバナレバー(３)が燃料減量方向(Ｌ)に押され、燃料調量部(５)が燃料無供給位置(７)まで移動するように構成されている、ことを特徴とするエンジンの調速装置。
【発明の効果】
【０００９】
(請求項１に係る発明)
請求項１に係る発明は、次の効果を奏する。
《効果》  低速運転での負荷増加時にエンジン出力が不足する不具合を防止することができる。
図１，図９から明らかなように、調速レバー(１)のエンジン停止操作時には、エンジン停止位置(６)側に揺動操作された調速レバー(１)で圧縮されたガバナスプリング(２)が押されることにより、ガバナスプリング(２)でガバナレバー(３)が燃料減量方向(Ｌ)に押され、燃料調量部(５)が燃料無供給位置(７)まで移動するように構成されているので、低速運転での負荷増加時に、ガバナレバー(３)の燃料増量方向(Ｒ)の揺動が妨げられることがなく、燃料が増量され、エンジン出力が不足する不具合を防止することができる。
【００１０】
(請求項２に係る発明)
請求項２に係る発明は、請求項１に係る発明の効果に加え、次の効果を奏する。
《効果》  ガバナスプリングの寸法誤差を吸収することかできる。
図１，図９に例示するように、両係合部(３ｃ)(３ｄ)のいずれかに離間調節部(３ｅ)が設けられ、離間調節部(３ｅ)の調節で、係合部同士(３ｃ)(３ｄ)が係合した第１レバー(３ａ)と第２レバー(３ｂ)の離間距離が調節されるように構成されているので、ガバナスプリング(２)に寸法誤差があっても、離間調節部(３ｅ)の調節によりその寸法誤差を吸収することができる。
【００１１】
すなわち、製造誤差等により、ガバナスプリング(２)が短過ぎた場合には、離間調節部(３ｅ)の調節で、係合部同士(３ｃ)(３ｄ)が係合した第１レバー(３ａ)と第２レバー(３ｂ)の離間距離を長くし、調速レバー(１)のエンジン停止操作時には、燃料調量部(５)が燃料無供給位置(７)にくるように位置合わせすることができ、エンジン停止を確実に行うことができる。
また、製造誤差等により、ガバナスプリング(２)が長過ぎた場合には、離間調節部(３ｅ)の調節で、係合部同士(３ｃ)(３ｄ)が係合した第１レバー(３ａ)と第２レバー(３ｂ)の離間距離を短くし、調速レバー(１)のエンジン停止操作時には、エンジン停止位置(６)まで操作された調速レバー(１)と燃料無供給位置(７)で停止している燃料調量部(５)との間で長すぎるガバナスプリング(２)に無用の圧縮力がかかる不具合を防止することができる。このため、ガバナスプリング(２)の損傷や、調速レバー(１)やガバナレバー(３)からのガバナスプリング(２)の脱落を防止することができる。
【００１２】
(請求項３に係る発明)
請求項３に係る発明は、請求項２に係る発明の効果に加え、次の効果を奏する。
《効果》  過負荷運転時のエンストを抑制することができる。
図１，図９から明らかなように、過負荷運転時には、ガバナ力(４ａ)の低下で、燃料制限具(９)に第２レバー(３ｂ)が受け止められ、トルクライズ装置(８)のバネ力(８ａ)とガバナ力(４ａ)との不釣合い力で第１レバー(３ａ)が揺動され、燃料調量部(５)が過負荷増量領域(１０)で調量移動して、エンジントルクが増加するように構成されているので、過負荷運転時のエンストを抑制することができる。
【００１３】
(請求項４に係る発明)
請求項４に係る発明は、請求項１から請求項３のいずれかに係る発明の効果に加え、次の効果を奏する。
《効果》  エンジン停止を確実に行うことができる。
図２(Ｃ)(Ｄ)，図７(Ｅ)，図１１から明らかなように、調速レバー(１)のエンジン停止操作時には、フック係止孔(１ａ)の内周面(１ｂ)で係止フック(２ｂ)が押圧されて、ガバナスプリング(２)が押されるように構成されているので、調速レバー(１)のエンジン停止操作がフック係止孔(１ａ)の内周面(１ｂ)を介して係止フック(２ｂ)に正確に伝達され、エンジン停止を確実に行うことができる。
【００１４】
(請求項５に係る発明)
請求項５に係る発明は、請求項４に係る発明の効果に加え、次の効果を奏する。
《効果》  高い低速出力を得ることができる。
図２(Ａ)〜(Ｄ)に例示するように、ガバナスプリング(２)が第１スプリング(４１)と第２スプリング(４２)とで構成されているので、ガバナスプリング(２)が一本である場合に比べ、低速設定操作時のガバナスプリング(２)のバネ定数をより小さくすることができ、高い低速出力を得ることができる。
【００１５】
《効果》  エンジン停止を確実に行うことができる。
図２(Ｃ)(Ｄ)から明らかなように、調速レバー(１)のエンジン停止操作時には、フック係止孔(１ａ)の内周面(１ｂ)で第１スプリング(４１)の係止フック(２ｂ)が押圧されて、第１スプリング(４１)のみでガバナレバー(３)が燃料減量方向(Ｌ)に押されるように構成されているので、ガバナスプリング(２)が第１スプリング(４１)と第２スプリング(４２)とで構成されている場合であっても、調速レバー(１)のエンジン停止操作がフック係止孔(１ａ)の内周面(１ｂ)を介して係止フック(２ｂ)に正確に伝達され、エンジン停止を確実に行うことができる。
【００１６】
《効果》  高い低速出力を得ることができる。
図７(Ａ)〜(Ｆ)に例示するように、ガバナスプリング(２)が第１スプリング(４１)と第２スプリング(４２)とで構成されているので、低速設定操作時のガバナスプリング(２)のバネ定数をより小さくすることができ、高い低速出力を得ることができる。
【００１７】
《効果》  エンジン停止を確実に行うことができる。
図７(Ｅ)(Ｆ)から明らかなように、調速レバー(１)のエンジン停止操作時には、フック係止孔(１ａ)の内周面(１ｂ)で第１スプリング(４１)の係止フック(２ｂ)が押圧されて、第１スプリング(４１)のみでガバナレバー(３)が燃料減量方向(Ｌ)に押されるように構成されているので、ガバナスプリング(２)が第１スプリング(４１)と第２スプリング(４２)とで構成されている場合であっても、調速レバー(１)のエンジン停止操作がフック係止孔(１ａ)の内周面(１ｂ)を介して係止フック(２ｂ)に正確に伝達され、エンジン停止を確実に行うことができる。
【００１８】
(請求項７に係る発明)
請求項７に係る発明は、請求項１から請求項３のいずれかに係る発明の効果に加え、次の効果を奏する。
《効果》  エンジン停止を確実に行うことができる。
図８(Ｇ)(Ｈ)から明らかなように、調速レバー(１)のエンジン停止操作時には、係止ピン(４４)の周面(４４ａ)で係止環(２ｄ)が押圧されて、ガバナスプリング(２)が押されるように構成されているので、調速レバー(１)のエンジン停止操作が係止ピン(４４)の周面(４４ａ)を介して係止環(２ｄ)に正確に伝達され、エンジン停止を確実に行うことができる。
【００１９】
(請求項８に係る発明)
請求項８に係る発明は、請求項７に係る発明の効果に加え、次の効果を奏する。
《効果》  高い低速出力を得ることができる。
図８(Ａ)〜(Ｈ)に例示するように、ガバナスプリング(２)が第１スプリング(４１)と第２スプリング(４２)とで構成されているので、ガバナスプリング(２)が一本である場合に比べ、低速設定操作時のガバナスプリング(２)のバネ定数をより小さくすることができ、高い低速出力を得ることができる。
【００２０】
《効果》  エンジン停止を確実に行うことができる。
図８(Ｇ)(Ｈ)から明らかなように、調速レバー(１)のエンジン停止操作時には、係止ピン(４４)の周面で第１スプリング(４１)の係止環(２ｄ)が押圧されて、第１スプリング(４１)のみでガバナレバー(３)が燃料減量方向(Ｌ)に押されるように構成されているので、ガバナスプリング(２)が第１スプリング(４１)と第２スプリング(４２)とで構成されている場合であっても、調速レバー(１)のエンジン停止操作が係止ピン(４４)の周面(４４ａ)を介して第１スプリング(４１)の係止環(２ｄ)に正確に伝達され、エンジン停止を確実に行うことができる。
【図面の簡単な説明】
【００２１】
【図１】本発明の第１実施形態に係るディーゼルエンジンの調速装置の模式図である。
【図２】図１の調速装置の調速レバーとガバナスプリングの係止状態を説明する図で、図２(Ａ)は高速設定操作時の平面図、図２(Ｂ)は図２(Ａ)のＢ−Ｂ線断面図、図２(Ｃ)は低速設定操作時の平面図、図２(Ｄ)は図２(Ｃ)のＤ−Ｄ線断面図である。
【図３】図１の調速装置とその周辺部分の平面図である。
【図４】図１の調速装置とその周辺部分の側面図である。
【図５】図１の調速装置を用いたディーゼルエンジンの横断平面図である。
【図６】図１の調速装置を用いたディーゼルエンジンの縦断側面図である。
【図７】本発明の第２実施形態に係るディーゼルエンジンの調速装置の調速レバーとガバナスプリングの係止状態を説明する図で、図７(Ａ)は高速設定操作時の平面図、図７(Ｂ)は図７(Ａ)のＢ−Ｂ線断面図、図７(Ｃ)は図７(Ａ)のＣ方向矢視図、図７(Ｄ)は図７(Ｃ)のＤ方向矢視図、図７(Ｅ)は低速設定操作時の平面図、図７(Ｆ)は図７(Ｅ)のＦ方向矢視図である。
【図８】本発明の第３実施形態に係るディーゼルエンジンの調速装置の調速レバーとガバナスプリングの係止状態を説明する図で、図８(Ａ)は高速設定操作時の平面図、図８(Ｂ)は図８(Ａ)のＢ方向矢視図、図８(Ｃ)は図８(Ｂ)のＣ−Ｃ線断面図、図８(Ｄ)は図８(Ｂ)のＤ−Ｄ線断面図図、８(Ｅ)は低速設定操作時の平面図、図８(Ｆ)は図８(Ｅ)のＦ方向矢視図、図８(Ｇ)は図８(Ｅ)のＧ−Ｇ線断面図、図８(Ｈ)は図８(Ｆ)のＨ−Ｈ線断面図である。
【図９】本発明の第４実施形態に係るディーゼルエンジンの調速装置の模式図である。
【図１０】図９の調速装置とその周辺部分の平面図である。
【図１１】図９の調速装置とその周辺部分の側面図である。
【図１２】従来技術の図１相当図である。
【発明を実施するための形態】
【００２２】
図１〜図６は本発明の第１実施形態、図７は第２実施形態、図８は第３実施形態、図９〜図１１は第４実施形態に係るディーゼルエンジンの調速装置を説明する図で、各実施形態では、横形の単気筒ディーゼルエンジンの調速装置について説明する。
【００２３】
まず、第１実施形態について説明する。
このエンジンの概要は、次の通りである。
図６に示すように、クランク軸中心軸線(１１)と平行な向きに見て、クランク軸中心軸線(１１)の左側でシリンダ(１２)を水平に向けた特定観察姿勢で、クランク軸(１３)の右上と右下に回転バランサ(１４ａ)(１４ｂ)が配置されている。シリンダブロック(１５)は、クランクケース(１６)と、この下方のオイル溜め(１７)と、クランクケース(１６)の左側のシリンダライナ装着部(１８)と、その周囲のシリンダジャケット(１９)とを備えている。シリンダブロック(１５)の左端にはシリンダヘッド(２０)が組み付けられ、シリンダヘッド(２０)にシリンダヘッドカバー(２１)が組み付けられ、シリンダブロック(１５)の上部には、シリンダジャケット(１９)の上方で、シリンダジャケット(１９)と連通させたラジエータ(２２)が配置されるとともに、クランクケース(１６)の上方で、燃料タンク(２３)が配置されている。
【００２４】
図６に示すように、シリンダ(１２)には、シリンダライナ装着部(１８)に装着されたシリンダライナ(１２ａ)が用いられ、シリンダライナ(１２ａ)内にピストン(２４)が内嵌され、ピストン(２４)にコンロッド(２５)を介してクランク軸(１３)が連動連結されている。クランク軸(１３)の左下で、シリンダライナ(１２ａ)の下方に、動弁カム軸(３２)が配置されている。
図５に示すように、シリンダブロック(１５)の前端部には、ギヤケース(２６)が組み付けられ、このギヤケース(３２)内に調時伝動ギヤ(２７)や調速装置(２８)が収容されている。シリンダブロック(１５)の後端部には、フライホイール(３９)が配置されている。
【００２５】
調速装置(２８)の概要は、次の通りである。
図１に示すように、調速レバー(１)にガバナスプリング(２)を介してガバナレバー(３)が連動連結され、ガバナレバー(３)にガバナ力発生装置(４)が連携され、ガバナスプリング(２)のガバナスプリング力(２ａ)とガバナ力発生装置(４)のガバナ力(４ａ)との不釣合い力でガバナレバー(３)が揺動され、ガバナレバー(３)に連動連結された燃料調量部(５)が調量されるように構成されている。
【００２６】
図４に示すように、調速レバー(１)は、ギヤケース(２６)の天井壁(２６ａ)に枢軸(３３)で揺動自在に枢支されている。ガバナスプリング(２)は引きバネであり、両端にフック(２ｂ)(２ｃ)が設けられ、図３に示すように、このフック(２ｂ)(２ｃ)がそれぞれ調速レバー(１)のフック係合孔(１ａ)とガバナレバー(３)のフック係合孔(３ｆ)に係合されている。図３に示すように、ガバナ力発生装置(４)は、ガバナウェイト(３４)とガバナスリーブ(３５)とで構成され、ガバナウェイト(３４)はクランク軸(１３)で回転駆動される。図３、図４に示すように、燃料調量部(５)は燃料噴射ポンプ(２９)の燃料調量ラック(３６)のラックピン(３７)である。
【００２７】
図１から明らかなように、調速レバー(１)のエンジン停止操作時には、エンジン停止位置(６)側に揺動操作された調速レバー(１)で圧縮されたガバナスプリング(２)が押されることにより、ガバナスプリング(２)でガバナレバー(３)が燃料減量方向(Ｌ)に押され、燃料調量部(５)が燃料無供給位置(７)まで移動するように構成されている。燃料無供給位置(７)とは、燃料噴射ポンプ(２９)の場合には、燃料無噴射位置である。
【００２８】
このため、超低速運転での負荷増加時に、ガバナレバー(３)の燃料増量方向(Ｒ)の揺動が妨げられることがなく、燃料が増量され、エンジン出力が不足する不具合を防止することができる。超低速運転とは、アイドリング回転速度付近での低速運転をいう。
【００２９】
図１に示すように、ガバナレバー(３)が、ガバナ力発生装置(４)に連携された第１レバー(３ａ)と、ガバナスプリング(２)に連結された第２レバー(３ｂ)とで構成され、第１レバー(３ａ)が燃料調量部(５)に連結され、第１レバー(３ａ)と第２レバー(３ｂ)とにそれぞれ係合部(３ｃ)(３ｄ)が設けられている。
調速レバー(１)のエンジン停止操作時には、係合部(３ｃ)(３ｄ)同士が係合し、ガバナスプリング(２)で燃料減量方向(Ｌ)に押された第２レバー(３ｂ)から両係合部(３ｃ)(３ｄ)を介して第１レバー(３ａ)が燃料減量方向(Ｌ)に押されるように構成されている。
両係合部(３ｃ)(３ｄ)のうち、第２レバーの係合部(３ｄ)に離間調節部(３ｅ)が設けられ、離間調節部(３ｅ)の調節で、係合部同士(３ｃ)(３ｄ)が係合した第１レバー(３ａ)と第２レバー(３ｂ)の離間距離が調節されるように構成されている。
【００３０】
図３に示すように、第１レバー(３ａ)と第２レバー(３ｂ)とは枢軸(３８)でギヤケース(２６)に揺動自在に枢支されている。図１に示すように、離間調節部(３ｅ)は第２レバー(３ｂ)の係合部(３ｄ)に設けられたネジ杆で、第２レバー(３ｂ)から導出された舌片(３ｇ)にネジ嵌合されている。舌片(３ｇ)には始動用バネ(４０)が係止され、エンジン始動時には始動用バネ(４０)のバネ力(４０ａ)で燃料調量部(５)が始動増量位置に位置される。
【００３１】
離間調節部(３ｅ)による調節は、次のようにして行う。
図１から明らかなように、ネジ杆を第１レバー(３ａ)の係合部(３ｃ)に近づけるように進出調節することにより、係合部同士(３ｃ)(３ｄ)が係合した第１レバー(３ａ)と第２レバー(３ｂ)の離間距離を遠ざけることができるとともに、ネジ杆を第１レバー(３ａ)の係合部(３ｃ)から離れるように後退調節することにより、係合部同士(３ｃ)(３ｄ)が係合した第１レバー(３ａ)と第２レバー(３ｂ)の離間距離を近づけることができる。
【００３２】
図１に示すように、第１レバー(３ａ)と第２レバー(３ｂ)との間にトルクライズ装置(８)が設けられている。
図１から明らかなように、過負荷運転時には、ガバナ力(４ａ)の低下で、燃料制限具(９)に第２レバー(３ｂ)が受け止められ、トルクライズ装置(８)のバネ力(８ａ)とガバナ力(４ａ)との不釣合い力で第１レバー(３ａ)が揺動され、燃料調量部(５)が過負荷増量領域(１０)で調量移動して、エンジントルクが増加するように構成されている。
【００３３】
図１に示すように、トルクライズ装置(８)は、第２レバー(３ｂ)に取り付けられ、トルクピン(３０)とトルクバネ(３１)とを備え、部分負荷高回転時には、ガバナ力(４ａ)とガバナスプリング力(２ａ)の挟圧力でトルクピン(３０)はトルクライズ装置(８)内に押し込まれ、第１レバー(３ａ)と第２レバー(３ｂ)とは一体に揺動し、図１から明らかなように、定格負荷になると、燃料制限具(９)に第２レバー(３ｂ)が受け止められ、過負荷になると、トルクライズ装置(８)のバネ力(８ａ)とガバナ力(４ａ)との不釣合い力でトルクピン(３０)がトルクライズ装置(８)から押し出され、その押し出し代の分だけ、第１レバー(３ａ)が燃料増量方向(Ｌ)に揺動し、燃料調量部(５)が過負荷増量領域(１０)で調量移動して、燃料を増量しながらエンジン回転数を最大トルク回転数に近づけ、エンジントルクを増加させる。
【００３４】
図２(Ａ)〜(Ｄ)に示すように、ガバナスプリング(２)の一端側の係止フック(２ｂ)が調速レバー(１)のフック係止孔(１ａ)に係合されている。
図２(Ｃ)(Ｄ)から明らかなように、調速レバー(１)のエンジン停止操作時には、フック係止孔(１ａ)の内周面(１ｂ)で係止フック(２ｂ)が押圧されて、ガバナスプリング(２)が押されるように構成されている。
【００３５】
図２(Ａ)〜(Ｄ)に示すように、ガバナスプリング(２)が第１スプリング(４１)と第２スプリング(４２)とで構成されている。
調速レバー(１)にブッシュ(４３)が取り付けられ、このブッシュ(４３)に調速レバー(１)のフック係止孔(１ａ)が設けられ、このフック係止孔(１ａ)に第１スプリング(４１)の係止フック(２ｂ)が係合され、第２スプリング(４２)の一端側に係止部(４２ａ)を備えた折り返し部(４２ｂ)が形成され、この折り返し部(４２ｂ)がブッシュ(４３)にスライド自在に嵌合されている。
この折り返し部(４２ｂ)は、ブッシュ(４３)のフランジ部(４３ａ)と調速レバー(１)とで抜け止めされている。
【００３６】
図２(Ａ)(Ｂ)に示すように、調速レバー(１)の高速設定操作時には、第１スプリング(４１)の係止フック(２ｂ)と第２スプリング(４２)の折り返し部(４２ｂ)の係止部(４２ａ)とがブッシュ(４３)を介して調速レバー(１)に係止され、第１スプリング(４１)と第２スプリング(４２)のガバナスプリング力(２ａ)がガバナレバー(３)にかかる。
【００３７】
図２(Ｃ)(Ｄ)に示すように、調速レバー(１)の低速設定操作時には、第１スプリング(４１)の係止フック(２ｂ)のみがブッシュ(４３)を介して調速レバー(１)に係止され、第１スプリング(４１)のみのガバナスプリング力(２ａ)がガバナレバー(３)にかかる。
【００３８】
図２(Ｃ)(Ｄ)から明らかなように、調速レバー(１)のエンジン停止操作時には、フック係止孔(１ａ)の内周面(１ｂ)で第１スプリング(４１)の係止フック(２ｂ)が押圧されて、第１スプリング(４１)のみでガバナレバー(３)が燃料減量方向(Ｌ)に押されるように構成されている。
【００３９】
次に、第２実施形態について説明する。
図７(Ａ)〜(Ｆ)に示すように、ガバナスプリング(２)が第１スプリング(４１)と第２スプリング(４２)とで構成されている。
調速レバー(１)にフック係止孔(１ａ)が穿孔され、このフック係止孔(１ａ)に第１スプリング(４１)の係止フック(２ｂ)が係合され、第２スプリング(４２)の一端側に係止部(４２ａ)を備えた折り返し部(４２ｂ)が形成され、この折り返し部(４２ｂ)が調速レバー(１)の表裏面に沿う折り返し状に形成されるとともに、調速レバー(１)にスライド自在に嵌合されている。
この折り返し部(４２ｂ)は、調速レバー(１)で上下方向に抜け止めされているとともに、一対の係止爪(１ｃ)(１ｄ)でスライド方向と直交する横方向に対し、抜け止めされている。
【００４０】
図７(Ａ)〜(Ｄ)に示すように、調速レバー(１)の高速設定操作時には、第１スプリング(４１)の係止フック(２ｂ)と第２スプリング(４２)の折り返し部(４２ｂ)の係止部(４２ａ)とが調速レバー(１)に係止され、第１スプリング(４１)と第２スプリング(４２)のガバナスプリング力(２ａ)がガバナレバー(３)にかかる。
【００４１】
図７(Ｅ)(Ｆ)に示すように、調速レバー(１)の低速設定操作時には、第１スプリング(４１)の係止フック(２ｂ)のみが調速レバー(１)に係止され、第１スプリング(４１)のみのガバナスプリング力(２ａ)がガバナレバー(３)にかかる。
【００４２】
図７(Ｅ)(Ｆ)から明らかなように、調速レバー(１)のエンジン停止操作時には、フック係止孔(１ａ)の内周面(１ｂ)で第１スプリング(４１)の係止フック(２ｂ)が押圧されて、第１スプリング(４１)のみでガバナレバー(３)が燃料減量方向(Ｌ)に押されるように構成されている。
他の構成や機能は、第１実施形態と同じである。
【００４３】
次に、第３実施形態について説明する。
図８(Ａ)〜(Ｈ)に示するように、ガバナスプリング(２)の一端側の係止環(２ｄ)が調速レバー(１)の係止ピン(４４)に嵌合されている。
図８(Ｇ)(Ｈ)から明らかなように、調速レバー(１)のエンジン停止操作時には、係止ピン(４４)の周面(４４ａ)で係止環(２ｄ)が押圧されて、ガバナスプリング(２)が押されるように構成されている。
【００４４】
図８(Ａ)〜(Ｈ)に示すように、ガバナスプリング(２)が第１スプリング(４１)と第２スプリング(４２)とで構成されている。
図８(Ｂ)〜(Ｄ)(Ｆ)〜(Ｈ)に示すように、調速レバー(１)に係止ピン(４４)が取り付けられ、係止ピン(４４)に第１スプリング(４１)の係止環(２ｄ)が嵌合され、第２スプリング(４２)の一端側に係止部(４２ａ)を備えた折り返し部(４２ｂ)が形成され、この折り返し部(４２ｂ)が係止ピン(４４)にスライド自在に嵌合されている。
この係止環(２ｄ)と折り返し部(４２ｂ)とは係止ピン(４４)に取り付けられた座金(４５)と調速レバー(１)とで抜け止めされている。
【００４５】
図８(Ｂ)〜(Ｄ)に示すように、調速レバー(１)の高速設定操作時には、第１スプリング(４１)の係止環(２ｄ)と第２スプリング(４２)の折り返し部(４２ｂ)の係止部(４２ａ)とが係止ピン(４４)を介して調速レバー(１)に係止され、第１スプリング(４１)と第２スプリング(４２)のガバナスプリング力(２ａ)がガバナレバー(３)にかかる。
【００４６】
図８(Ｆ)〜(Ｈ)に示すように、調速レバー(１)の低速設定操作時には、第１スプリング(４１)の係止環(２ｄ)のみが係止ピン(４４)を介して調速レバー(１)に係止され、第１スプリング(４１)のみのガバナスプリング力(２ａ)がガバナレバー(３)にかかる。
図８(Ｇ)(Ｈ)から明らかなように、調速レバー(１)のエンジン停止操作時には、係止ピン(４４)の周面(４４ａ)で第１スプリング(４１)の係止環(２ｄ)が押圧されて、第１スプリング(４１)のみでガバナレバー(３)が燃料減量方向(Ｌ)に押されるように構成されている。
他の構成や機能は、第１実施形態と同じである。
【００４７】
次に、第４実施形態について説明する。
図９〜図１１に示すように、ガバナスプリング(２)が１本で構成され、調速レバー(１)にフック係止孔(１ａ)が穿孔されている点を除き、第１実施形態と同一の構成と機能を備えている。
図９〜図１１中、第１実施形態と同一の要素には、図１〜図６と同一の符号を付しておく。
【符号の説明】
【００４８】
(１) 調速レバー
(１ａ) フック係止孔
(１ｂ) 内周面
(２) ガバナスプリング
(２ａ) ガバナスプリング力
(２ｂ) 係止フック
(２ｃ) 係止フック
(２ｄ) 係止環
(３) ガバナレバー
(３ａ) 第１レバー
(３ｂ) 第２レバー
(３ｃ) 係合部
(３ｄ) 係合部
(３ｅ) 離間調節部
(４) ガバナ力発生装置
(４ａ) ガバナ力
(５) 燃料調量部
(６) エンジン停止位置
(７) 燃料無供給位置
(８) トルクライズ装置
(８ａ) バネ力
(９) 燃料制限具
(１０) 過負荷増量領域
(Ｌ) 燃料減量方向
(４１) 第１スプリング
(４２) 第２スプリング
(４２ａ) 係止部
(４２ｂ) 折り返し部
(４３) ブッシュ
(４４) 係止ピン
(４４ａ) 周面
(４５) 座金
【図１】
2014206155.tif 000003
【図２】
2014206155.tif 000004
【図３】
2014206155.tif 000005
【図４】
2014206155.tif 000006
【図５】
2014206155.tif 000007
【図６】
2014206155.tif 000008
【図７】
2014206155.tif 000009
【図８】
2014206155.tif 000010
【図９】
2014206155.tif 000011
【図１０】
2014206155.tif 000012
【図１１】
2014206155.tif 000013
【図１２】
2014206155.tif 000014